(57)【特許請求の範囲】
【請求項１】
輪郭が円形の物品、例えば眼鏡レンズ（１８）を保護すると共に位置決めする包装用品（１）であって、
−底部パネル（２）を有し、
−各々が外部側方パネル（１０）及び物品の少なくとも部分的な挿入を可能にする開口部（１５）が設けられている内部側方パネル（１３）を備えた２つのボックスセクション部（３）を有し、各ボックスセクション部（３）は、関節接合部（１４）によって２つの互いに反対側の縁部（１７）の各々に沿ってそれぞれ底部パネル（２）に取り付けられ、各ボックスセクション部（３）は、外部側方パネル（１０）が底部パネル（２）と一線をなす折り畳み位置及び外部側方パネル（１０）が底部パネル（２）に対して直立した起き上がり位置を占めるようになっており、
−各々が関節接合部（２９，３０）によりボックスセクション部（３）に隣接した２つの反対側の縁部（２７，２８）の各々に沿ってそれぞれ底部パネル（２）に取り付けられた２つのフラップ（４，５）を有し、各フラップ（４，５）は、これが底部パネル（２）と一線をなす折り畳み位置及びフラップ（４，５）がボックスセクション部（３）の長手方向端部に当接して底部パネル（２）に対して直立した起き上がり位置を占めるようになっており、
−ボックスセクション部（３）及びフラップ（４，５）を起き上がり位置に維持する手段を有する包装用品において、
各ボックスセクション部（３）について、前記外部側方パネル（１０）は、関節接合部（１４）により底部パネル（２）に連結された第１の端部、関節接合部（９）により中間パネル（１１）の第１の端部に連結された第２の端部を有し、中間パネル（１１）は、関節接合部（１２）により前記内部側方パネル（１３）の第１の端部に連結された第２の端部を更に有し、前記内部側方パネルは、外部側方パネル（１０）の第１の端部と底部パネル（２）との間の関節接合部（１４）に沿って関節接合部（５２）により底部パネル（２）に連結された第２の端部を更に有し、少なくとも２つの並置した位置決め舌部（２０，２１）が、開口部（１５）に設けられると共に底部パネル（２）と反対側の端部によってのみ内部側方パネル（１３）に取り付けられていることを特徴とする包装用品。
【請求項２】
一部品として作られていることを特徴とする請求項１記載の包装用品。
【請求項３】
底部パネル（２）は、正方形であることを特徴とする請求項１又は２記載の包装用品。
【請求項４】
４つの位置決め舌部（２０，２１）が、内部側方パネル（１３）の各開口部（１５）に設けられ、各位置決め舌部（２０，２１）は、互いに独立であり、底部パネル（２）の一端部に取り付けられていることを特徴とする請求項１〜３のうちいずれか一に記載の包装用品。
【請求項５】
位置決め舌部（２０，２１）は、これらの長さ全体にわたって少なくとも１つの横方向スコアリングライン（２５）を有していることを特徴とする請求項１〜４のうちいずれか一に記載の包装用品。
【請求項６】
各ボックスセクション部（３）は、第１のスコアリングライン（１４）により底部パネル（２）の縁部（７）に連結された矩形のパネルによって、底部パネル（２）と一体に形成され、前記矩形パネルは、外部側方パネル（１０）を画定する第２のスコアリングライン（９）、中間パネル（１１）を画定する第３のスコアリングライン（１２）及び内部側方パネル（１３）を画定する第４のスコアリングライン（５２）を有し、前記矩形パネルは、底部パネル（２）に取り付けられた固定フラップ（５３）により第４のスコアリングライン（５２）を越えて延びていて、第４のスコアリングライン（５２）が、第１のスコアリングライン（１４）に並置されるようになっていることを特徴とする請求項１〜５のうちいずれか一に記載の包装用品。
【請求項７】
固定フラップ（５３）は、底部パネル（２）に膠着されていることを特徴とする請求項６記載の包装用品。
【請求項８】
中間パネル（１１）は、長手方向スコアリングライン（５４）を有することを特徴とする請求項１〜７のうちいずれか一に記載の包装用品。
【請求項９】
外部側方パネル（１０）の幅は、内部側方パネル（１３）の幅に実質的に等しいことを特徴とする請求項１〜８のうちいずれか一に記載の包装用品。
【請求項１０】
外部側方パネル（１０）の幅は、内部側方パネル（１３）の幅に実質的に等しく、前記長手方向スコアリングライン（５４）は、実質的に中間パネル（１１）の長手方向中線によって配置されていることを特徴とする請求項８記載の包装用品。
【請求項１１】
ボックスセクション部（３）及びフラップ（４，５）を起き上がり位置に維持する手段は、フラップ（４，５）及びボックスセクション部（３）と関連していて、フラップ（４，５）が起き上がり位置にあるときボックスセクション部（３）を起き上がり位置に保持する手段（３２）と、フラップ（４，５）をボックスセクション部（３）に当接させて互いに向かい合った状態に保持する手段（６，４３，４６）とを含むことを特徴とする請求項１〜１０のうちいずれか一に記載の包装用品。
【請求項１２】
ボックスセクション部（３）及びフラップ（４，５）を起き上がり位置に保持する手段は、フラップのうちの一方（５）の自由縁部に関節接合されたクロージャパネル（６）を含み、このクロージャパネル（６）は、ボックスセクション部（３）及び反対側のフラップ（４）の自由縁部が起き上がり位置にあるとき、底部パネル（２）に平行であって、ボックスセクション部（３）及び反対側のフラップ（４）の自由縁部に当接して配置される閉鎖位置を占めることができるようボックスセクション部分（３）及び反対側のフラップ（４）への取付け手段（３９，４６）を含むことを特徴とする請求項１〜１１のうちいずれか一に記載の包装用品。
【請求項１３】
クロージャパネル（６）は、スコアリングライン（４４）を越え、クロージャパネル（６）が関節接合されたフラップ（５）と反対側のその端部から開始した折り畳みパネル（４３）を含み、前記折り畳みパネル（４３）は、クロージャパネル（６）が閉鎖位置にあるとき、反対側のフラップ（４）上に重なって位置するようになっていることを特徴とする請求項１２記載の包装用品。
【請求項１４】
前記取付け手段は、クロージャパネル（６）の縁部から突き出た取付け舌部（３９，４６）から成り、ボックスセクション部（３）及び反対側のフラップ（４）は、取付け舌部（３９，４６）と協働するようになった切込み（４２，４８）を有することを特徴とする請求項１２又は１３記載の包装用品。
【請求項１５】
フラップ（４，５）は各々、２つのガセット（３２）によりボックスセクション部（３）の隣接の長手方向端部に取り付けられていることを特徴とする請求項１〜１４のうちいずれか一に記載の包装用品。
【請求項１６】
シート材料の包装用品ブランク（３４）であって、
−底部パネル（２）を有し、
−スコアリングライン（１４）により底部パネル（２）の２つの反対側の縁部（７）に連結された２つの外部側方パネル（１０）を有し、
−各々がスコアリングライン（２９，３０）により底部パネル（２）の反対側の他方の２つの縁部（２７，２８）の各々にそれぞれ連結された２つのフラップ（４，５）を有し、
−スコアリングライン（９）により２つの外部側方パネル（１０）の底部パネル（２）の反対側の縁部の各々に連結された２つの中間パネル（１１）を有し、
−各々がスコアリングラン（１２）により外部側方パネル（１０）と反対側の前記中間パネル（１１）の各々の縁部にそれぞれ連結された２つの内部側方パネル（１３）を有し、各内部側方パネル（１３）は、中間パネル（１１）から遠ざかる方向に延長部として固定フラップ（５３）を有し、内部側方パネル（１３）は、端部（２２）のうち一方によりパネル（１３）の残部に取り付けられたままの少なくとも２つの並置した位置決め舌部（２０，２１）を画定する切欠き（１５）を更に有し、
−底部パネル（２）の寸法に実質的に等しい寸法を有し、スコアリングライン（３８）により底部パネル（２）と反対側のフラップのうちの一方（５）の縁部に連結されたクロージャパネル（６）を有することを特徴とする包装用品ブランク。
【請求項１７】
クロージャパネル（６）は、スコアリングライン（４４）によりクロージャパネル（６）のフラップ（５）と反対側の縁部（４５）に連結された折り畳みパネル（４３）を更に含むことを特徴とする請求項１６記載の包装用品ブランク。
【請求項１８】
スコアリングライン（４１，４７）によりクロージャパネル（６）の自由縁部に連結された取付け舌部（３９，４９）を有することを特徴とする請求項１６又は１７記載の包装用品ブランク。
【請求項１９】
外部側方パネル（１０）の幅と内部側方パネル（１３）の幅は、実質的に等しいことを特徴とする請求項１６〜１８のうちいずれか一に記載の包装用品ブランク。
【請求項２０】
外部側方パネル（１０）及びフラップ（４，５）は、ガセット（３２）によって底部パネル（２）に隣接したこれらの端部が１対ずつ連結されていることを特徴とする請求項１６〜１９のうちいずれか一に記載の包装用品ブランク。
【請求項２１】
フラップ（４，５）の各々の幅と外部側方パネル（１０）の各々の幅は、実質的に等しいことを特徴とする請求項１６〜２０のうちいずれか一に記載の包装用品ブランク。
【請求項２２】
請求項１〜１５のうちいずれか一に記載の包装用品（１）を用いて輪郭が円形の物品（１８）を包装すると共に位置決めする方法であって、包装用品と包装されるべき物品の組合せを選択し、底部パネル（２）は、正方形であり、正方形の一辺の長さは、物品（１８）の直径に実質的に等しいことを特徴とする方法。
【発明の詳細な説明】
【技術分野】
【０００１】
本発明は、輪郭が円形の物品、特に寸法形状が完成状態又は半完成状態の眼鏡レンズの寸法形状と同程度の物品を保護すると共に位置決めする包装用品に関する。
【背景技術】
【０００２】
半完成状態の眼鏡レンズは、凸面だけが大量生産の過程で仕上げられる（機械加工される）レンズである。
製造業者は、この種のレンズを処方箋研究室に輸送し、処方箋研究室は、装用者の要件の関数として凹面を機械加工する。
レンズを輸送する際、特に非常にたやすく擦り傷が付く有機材料レンズの場合、レンズが何かに接触するのを阻止することにより仕上げ面を保護するようレンズを位置決めすることが非常に重要である。
【０００３】
他方、完成状態のレンズの場合、凹面と凸面は、大量生産の過程で仕上げられる。
製造業者は、レンズを眼鏡士に送り、眼鏡士は、レンズを装用者により選択されたフレームの形状及び装用者に特有の形態学的パラメータ（瞳孔間距離、フレームのリムに対する瞳孔の位置）の関数としてトリミングする。
この場合も又、レンズの面が仕上げられている（即ち、機械加工され、そして通常は表面処理層、例えば傷付き防止層、反射防止層及び汚れ付着防止層が施されている）のでレンズの面を保護することが重要である。
【０００４】
上述した種類の包装用品は、当該技術分野において知られている。
フランス国特許出願第２，７０３，６５４号明細書は、外側エンベロープ及び入れ物から成る眼鏡レンズ用のプルアウト式包装用品を記載しており、入れ物は、底部パネル及び変形可能な平行四辺形のように関節接合された２つのボックスセクション（箱形断面）リムを有し、各ボックスセクションリムには、眼鏡レンズの少なくとも部分的な挿入を可能にする切欠きが形成されている。
【０００５】
上述したプルアウト式包装用品の入れ物は、眼鏡レンズをその底部パネル上に且つ上述の切欠き内に受け入れ、次に、この入れ物を外側エンベロープ内に挿入し、かかる組合せは、輸送に適したボックスを形成する。
【発明の開示】
【発明が解決しようとする課題】
【０００６】
この包装用品は、意図した機能を実行する点においては満足のいくものである。
それにもかかわらず、本発明は、特にレンズを位置決めする点においてこれを改良することを目的としている。
【課題を解決するための手段】
【０００７】
この目的のため、本発明の第１の特徴は、輪郭が円形の物品、例えば眼鏡レンズを保護すると共に位置決めする包装用品であって、
−底部パネルを有し、
−各々が外部側方パネル及び物品の少なくとも部分的な挿入を可能にする開口部が設けられている内部側方パネルを備えた２つのボックスセクション部を有し、各ボックスセクション部は、関節接合部によって２つの互いに反対側の縁部の各々に沿ってそれぞれ底部パネルに取り付けられ、各ボックスセクション部は、外部側方パネルが底部パネルと一線をなす折り畳み位置及び外部側方パネルが底部パネルに対して直立した起き上がり位置を占めるようになっており、
−各々が関節接合部によりボックスセクション部に隣接した２つの反対側の縁部の各々に沿ってそれぞれ底部パネルに取り付けられた２つのフラップを有し、各フラップは、これが底部パネルと一線をなす折り畳み位置及びフラップがボックスセクション部の長手方向端部に当接して底部パネルに対して直立した起き上がり位置を占めるようになっており、
−ボックスセクション部及びフラップを起き上がり位置に維持する手段を有する包装用品において、
各ボックスセクション部について、外部側方パネルは、関節接合部により底部パネルに連結された第１の端部、関節接合部により中間パネルの第１の端部に連結された第２の端部を有し、中間パネルは、関節接合部により内部側方パネルの第１の端部に連結された第２の端部を更に有し、内部側方パネルは、外部側方パネルの第１の端部と底部パネルとの間の関節接合部に沿って関節接合部により底部パネルに連結された第２の端部を更に有し、少なくとも１つの位置決め舌部が、開口部に設けられると共に底部パネルと反対側の端部によってのみ内部側方パネルに取り付けられていることを特徴とする包装用品に関する。
【０００８】
かくして、本発明の包装用品により、種々の形状及び厚さの物品の最適な位置決め及び運搬が可能になる。所与の物品の直径の場合、調整されるようになった保持手段を提供する位置決め舌部及びボックスセクション部の構成により、円形物品の各タイプに特有の種々の在庫包装用品を保有しておく必要はない。
包装用品は又、一部品として製作でき、これにより、包装用品の製造及び生産面でのその使用が容易になると共にこれらに要する費用が減少する。
【０００９】
以下に説明する実施形態及び追加の特徴は、好ましくは、これらが高度に単純化されていること及び便利である故に利用される。
一実施形態では、４つの位置決め舌部が、内部側方パネルの各開口部に設けられ、各位置決め舌部は、互いに独立であり、底部パネルの一端部に取り付けられている。
位置決め舌部は、これらの長さ全体にわたって少なくとも１つの横方向スコアリングラインを有するのがよい。
【００１０】
別の実施形態では、各ボックスセクション部は、第１のスコアリングラインにより底部パネルの縁部に連結された矩形のパネルによって、底部パネルと一体に形成され、矩形パネルは、外部側方パネルを画定する第２のスコアリングライン、中間パネルを画定する第３のスコアリングライン及び内部側方パネルを画定する第４のスコアリングラインを有し、矩形パネルは、底部パネルに取り付けられた固定フラップにより第４のスコアリングラインを越えて延びていて、第４のスコアリングラインが、第１のスコアリングラインに並置されるようになっている。
【００１１】
また、中間パネルは、実質的に中間パネルの長手方向中線によって配置されるのがよい長手方向スコアリングラインを有するのがよい。
さらに、外部側方パネルの幅は、内部側方パネルの幅に実質的に等しいものであるのがよい。
【００１２】
別の実施形態では、ボックスセクション部及びフラップを起き上がり位置に維持する手段は、フラップ及びボックスセクション部と関連していて、フラップが起き上がり位置にあるときボックスセクション部を起き上がり位置に保持する手段と、フラップをボックスセクション部に当接させて互いに向かい合った状態に保持する手段とを含むのがよい。
ボックスセクション部及びフラップを起き上がり位置に保持する手段は、フラップのうちの一方の自由縁部に関節接合されたクロージャパネルを含むのがよく、このクロージャパネルは、ボックスセクション部及び反対側のフラップの自由縁部が起き上がり位置にあるとき、底部パネルに平行であって、ボックスセクション部及び反対側のフラップの自由縁部に当接して配置される閉鎖位置を占めることができるようボックスセクション部分及び反対側のフラップへの取付け手段を含む。
クロージャパネルは、スコアリングラインを越え、クロージャパネルが関節接合されたフラップと反対側のその端部から開始した折り畳みパネルを含むのがよく、折り畳みパネルは、クロージャパネルが閉鎖位置にあるとき、反対側のフラップ上に重なって位置するようになっている。
【００１３】
上記取付け手段は、クロージャパネルの縁部から突き出た取付け舌部から成るのがよく、ボックスセクション部及び反対側のフラップは、取付け舌部と協働するようになった切込みを有する。
最後に、フラップを各々、２つのガセットによりボックスセクション部の隣接の長手方向端部に取り付けるのがよい。
【００１４】
本発明の別の特徴は、シート材料の包装用品ブランクであって、
−底部パネルを有し、
−スコアリングラインにより底部パネルの２つの反対側の縁部に連結された２つの外部側方パネルを有し、
−各々がスコアリングラインにより底部パネルの反対側の他方の２つの縁部の各々にそれぞれ連結された２つのフラップを有し、
−スコアリングラインにより２つの外部側方パネルの底部パネルの反対側の縁部の各々に連結された２つの中間パネルを有し、
−各々がスコアリングランにより外部側方パネルと反対側の中間パネルの各々の縁部にそれぞれ連結された２つの内部側方パネルを有し、各内部側方パネルは、中間パネルから遠ざかる方向に延長部として固定フラップを有し、内部側方パネルは、端部のうち一方によりパネルの残部に取り付けられたままの少なくとも１つの舌部を画定する切欠きを更に有し、
−底部パネルの寸法に実質的に等しい寸法を有し、スコアリングラインにより底部パネルと反対側のフラップのうちの一方の縁部に連結されたクロージャパネルを有することを特徴とする包装用品ブランクである。
外部側方パネルの幅と内部側方パネルの幅は、実質的に等しいのがよい。
【００１５】
一実施形態では、外部側方パネル及びフラップは、ガセットによって底部パネルに隣接したこれらの端部が１対ずつ連結されている。
これと同様に、フラップの各々の幅と外部側方パネルの各々の幅は、実質的に等しい野かよい。
【００１６】
本発明の第３の特徴は、上述した包装用品を用いて円形の輪郭の物品を包装すると共に位置決めする方法を提供することにある。
上述の方法では、包装用品と包装されるべき物品の組合せを選択し、底部パネルは、正方形であり、正方形の一辺の長さは、物品の直径に実質的に等しい。
【発明を実施するための最良の形態】
【００１７】
本発明の他の特徴及び利点は、非限定的な例によって提供された本発明の好ましい実施形態についての以下の説明を読むと明らかになり、説明は、添付の図面を参照して行なわれる。
図中、図面が複雑になるのを避けるために、次の慣例、即ち、
−スコアリングラインが、細い一点鎖線の状態、例えば、スコアリングライン４４のように示されており、
−包装用品の材料に形成された直線状切込みが、太い実線（例えば、切込み５５）の状態で示されており、
−ミシン目により形成されたスコアリングラインが、太い破線（例えば、スコアリングライン３６）の状態で示されている。
しかしながら、上記慣例は、斜視図（図１、図２、図６）には適用されない。
さらに、他の図でのサイズが小さいので、位置決め舌部に設けられたスコアリングラインは、図８にのみ上記慣例に従って示されている。
【００１８】
図１及び図３を参照すると、包装用品１は、底部パネル２、２つの側方ボックスセクション部３、２つのフラップ４，５及びクロージャパネル６を有している。
側方ボックスセクション部３は、底部パネル２の２つの互いに反対側の縁部７に沿って配置され、これらは、互いに同一であって平行であり、これらの長さ全体に沿って底部パネル２上に載っている。
ボックスセクション部３は、シート材料、例えば厚紙で作られた構造体を補剛する三角形部分８（図１参照）を有している。
【００１９】
各ボックスセクション部３のこの構造８は、外部側方パネル１０をスコアリングライン９に沿って中間パネル１１に連結することによって得られ、中間パネル１１はそれ自体、スコアリングライン１２に沿って内部側方パネル１３に連結される。３つのパネル１０，１１，１３は全て、形状が矩形であり、各々、対応関係にあるボックスセクション部３が取り付けられた底部パネル２の縁部の長さに好ましくは等しい長さを有している。
各ボックスセクション部３は、底部パネル２の縁部７及びボックスセクション部３の部分８により構成された三角形の一頂点に対応したボックスセクション部３の直線状一端部に共通のスコアリングライン１４に沿って底部パネル２に取り付けられている。
したがって、各ボックスセクション部３は、三角形部分８によって形成され、したがって、外部側方パネル１０が底部パネル２と同一平面内に位置する折り畳み位置（図７）と外部側方パネル１０が底部パネル２に垂直に位置する起き上がり位置（図１、図３、図４及び図５）との間でスコアリングライン１４に沿って動くことができる。
【００２０】
各ボックスセクション部３の内部側方パネル１３には開口部１５が設けられている。開口部１５は、内部側方パネル１３の長さ方向に心出しされた三角形の形をしており、これを画定する長辺のうちの一方１６は、底部パネル２に隣接し、これを画定する他方の長辺１７は、内部側方パネル１３と中間パネル１１の接合部１２に隣接して位置している。開口部１５は、ボックスセクション部３が図１で分かるように起き上がり位置にあるとき、眼鏡レンズ１８を少なくとも部分的にこの開口部に係合させるようになっている。
開口部１５の長さは、レンズ１８の最大直径及びボックスセクション部３の形状の関数として定められ、開口部は好ましくは、レンズが包装用品１内の定位置にあり、ボックスセクション部３が起き上がり位置にあるときにレンズ１８が開口部の側部を画定する縁部１９に少なくとも当接するようにするようかなり長い。
【００２１】
各ボックスセクション部３は、底部パネル２と反対側の開口部１５を画定する縁部１７から突き出た４つの位置決め舌部２０，２１を更に有している。これら舌部は、上記縁部１７に隣接したスコアリングライン２２周りに関節接合されている。
舌部２０，２１は、矩形であり、これらの長さは、開口部１５の全幅にわたって延びている。
【００２２】
中間軸線の互いに反対側の側部にそれぞれ位置した各ボックスセクション部３の２つの中央舌部２０と中央舌部を画定し、開口部１５を側方に画定する縁部１９に沿って延びる２つの側方舌部２１を互いに区別することは好都合である。
とは言うものの、各ボックスセクション部３の４つの位置決め舌部２０，２１は、互いに並置され、これらが内部側方パネル１３の平面内に配置されると、開口部１５の断面全体を占めるようになっている。
【００２３】
中央舌部２０及び側方舌部２１は、これらの長辺２３及び底部パネル２に隣接した開口部１５を画定する縁部１６と一致したこれらの辺２４に沿っては取り付けられておらず、これら舌部は、底部パネル２と反対側の辺に設けられた開口部１５を画定する縁部１７へのこれらの取付け部２２によってのみ内部側方パネル１３に取り付けられている。
舌部２０，２１は各々、これらを底部パネル２に取り付けるスコアリングライン２２とは別に、これらの長さに沿って位置し、各舌部２０，２１を４つのほぼ等しい部分に分割する３つの他の横方向スコアリングライン２５を有している。
【００２４】
全体的な結果として、各ボックスセクション部３について底部パネル２と反対側の側部の開口部１５を画定する縁部１７と一致する軸線２２回りに自由に動くことができる４つの舌部２０，２１が得られることになり、この運動により、各舌部２０，２１の自由端部２６は、内部側方パネル１３の平面の一方の側部又は他方の側部上の位置を占めることができる。
この運動は、内部側方パネル１３又は舌部２０，２１を作るために使用されるシート材料（この材料は、本実施形態では厚紙である）の弾性の関数としての、位置決め舌部２０，２１を内部側方パネル１３に取り付けるスコアリングライン２２の高さ位置での位置決め舌部２０，２１の弾性変形を含むことは注目されよう。
【００２５】
これと同様に、舌部２０，２１は、これらの長さに沿って設けられたスコアリングライン２５の各々の周りに弾性変形するようになっている。
フラップ４，５は、底部パネル２の２つの互いに反対側の縁部２７，２８のそれぞれの互いに反対側の側部に設けられ、各フラップは、スコアリングライン２９，３０に沿って延び、したがってこれらフラップは、底部パネル２の他方の２つの反対側の縁部を占めるボックスセクション部３に隣接して位置する。
【００２６】
したがって、図９で理解できるように、底部パネル２は、その縁部７，２７，２８の各々からの延長部として、フラップ４，５が矩形の形をしており、外部側方パネル１０と実質的に同一であるとすれば、星形を形成する４つのパネル４，５，１０を有している。
ボックスセクション部３と同様、或いはより正確に言えば外部側方パネル１０と同様に、フラップ４，５は、フラップ４，５が底部パネル２と同一平面内に位置する折り畳み位置（図３、図７及び図１０）と、フラップ４，５が底部パネル２に対し実質的に垂直に直立する起き上がり位置（図２）との間で動くことができる。
【００２７】
この結果として、フラップ４，５及びボックスセクション部３が起き上がり位置にあるとき、フラップ４，５は、ボックスセクション部３の三角形部分８の端部に当接して位置し、したがってフラップ４，５及び外部側方パネル１０は、底部が底部パネル２によって形成されるボックスの側部を形成する（図２参照）。
起き上がり位置では、フラップ４，５及び外部側方パネル１０の短辺３１は、ボックスの縁部を形成するよう１対ずつ互いに一致している。
【００２８】
このようにこれら短辺を一致させやすくするため、４つのガセット３２が、フラップの各縁部３１と外部側方パネル１０の隣接の縁部３３との接合部を形成している。包装用品１のブランク３４を示す図９では、外部側方パネル１０及びフラップ４，５は、底部パネル２の平面内に位置している。この図では、各ガセット３２は、２本のスコアリングライン１５により接合されたフラップ４，５と外部側方パネル１０を互いに連結するパネルとして記載されており、これらスコアリングラインのうち一方は、フラップ４，５を底部パネル２に連結するスコアリングライン２９，３０と一線をなし、他方のスコアリングラインは、外部側方パネル１０を底部パネル２に連結するスコアリングライン１４と一線をなしている。
【００２９】
最後に、ガセット３２は、底部パネル２の対応のコーナ部３７から４５°の角度をなしてガセット３２の端部に向かって延びる中央スコアリングライン３６によって完成されている。ボックスセクション部３及びフラップ４，５を起き上がり位置に移動させると、ガセット３２は、内方に折り畳み状態になり（図１）、フラップ４，５をボックスセクション部３に当接保持すると、ボックスセクション部３が起き上がり位置で動かないようにする。
【００３０】
眼鏡レンズ１８用の包装用品１は、スコアリングライン３８によりフラップ５の自由端部に取り付けられた底部パネル２と寸法が同一のクロージャパネル６を更に有し、したがってクロージャパネル６は、起き上がり位置においてボックスセクション部３及びフラップ４，５によって形成されるボックスのための底部パネル２に平行な蓋を形成するようになっている。
【００３１】
クロージャパネル６をその蓋機能を実施している際に保持する手段が設けられている。本実施形態では、かかる手段は、クロージャパネル６から、より正確に言えば、クロージャパネルをフラップ５に連結するスコアリングライン３８に垂直なその２つの反対側の縁部４０から突き出た２つの取付け舌部３９から成る。各取付け舌部３９は、クロージャパネル６の縁部４０と一線をなすスコアリングライン４１によって画定され、これら舌部は、各々中間パネル１１の各々にそれぞれ形成された２つの切込み４２と協働するようになっている。
【００３２】
また、フラップ５と反対側のクロージャパネル６の縁部４５上に位置し、フラップ５，６の幅にほぼ等しい距離にわたって延びるスコアリングライン４４を越えて突き出た折り畳みパネル４３が設けられている。
折り畳みパネル４３はそれ自体、クロージャパネル６と反対側のその側部に延長部としての第３の取付け舌部４６を有し、この第３の取付け舌部４６は、スコアリングライン４７に沿って延び、反対側のフラップ４に設けられた切込み４８と協働するようになっており、かかる切込みのところで、符号２９のところで底部パネル２に接合している。
【００３３】
かくして、包装用品１は、ボックスセクション部３及びフラップ４，５が起き上がり位置にあり、クロージャパネル６がこれらを覆い、折り畳みパネル４３が対応関係にあるフラップ４に当接した図２の位置のままであることができる。
上述の部品は、互いに協働してレンズ１８を空間内のあらゆる方向において保護すると共に位置決めするよう互いに協働する。図１及び図２においては、包装用品１内部のレンズ１８がその直径方向軸線のうちの１つに沿って、２つの側方ボックスセクション部３によって位置決めされると共に第１の軸線に垂直なその直径方向軸線のうち第２のものに沿って、２つのフラップ４，５によって位置決めされ、底部パネル２及びクロージャパネル６は、フラップ４，５及びボックスセクション部３に垂直なレンズ１８のそれぞれの反対側の側部上の位置を占める。
かくして、包装用品１は、眼鏡レンズ１８を損傷させることなく、いつでも輸送され、積み重ねられ又は単に操作される準備ができている。
【００３４】
図９は、上述した包装用品１を形成するようになったブランク３４を示している。
このブランクは、正方形の中央パネル４９を有し、この各コーナ部には、２つの対称の切れ目が設けられている。この中央パネル４９内に、底部パネル２、２つの外部側方パネル１０、２つのフラップ４，５及び４つのガセット３２が画定されている。
【００３５】
中央パネル４９に設けられた以下のスコアリングラインは、今述べたそれぞれの部分を画定している。
−２本のスコアリングライン１４は、底部パネル２を外部側方パネル１０に連結し、
−２本のスコアリングライン２９，３０は、底部パネル２をフラップ４，５に連結し、  −４本のスコアリングライン３５は、外部側方パネル１０をガセット３２に連結し、そして
−４本のスコアリングライン３５は、フラップ４，５をガセット３２に連結している。  中央スコアリングライン３９が、一列のミシン目により各ガセット３２に形成されている。
【００３６】
ブランク３４は、底部パネル２と反対側の各外部側方パネル１０の縁部５０から延びていて、スコアリングライン９により上記縁部５０に取り付けられたボックスセクション部パネル５１を更に有している。これらボックスセクション部パネル５１は各々、中間パネル１１、内部側方パネル１３及び固定パネル５３を順次画定する第１及び第２の単一のスコアリングライン１２，５２を有している。
中間パネル１１のスコアリングライン５４は、中線に沿って長手方向にパネル１１と交差し、このスコアリングライン５４は、折り畳みを促進するようその長さに沿って分布して設けられた３つの切込み５５を有している。
【００３７】
内部側方パネル１３は、上述した開口部に対応し、矩形の三辺の切り欠きに対応した切欠き１５を受け入れ、かかる矩形の三辺のうちの一辺は、上記第２のスコアリングライン５２に一致し、内部側方パネル１３は、第２のスコアリングライン５９に垂直な上記矩形内の３つの切欠きを受け入れ、これら切欠きは、一端が内部側方パネル１３に取り付けられた４つの位置決め舌部２０，２１を画定している。
【００３８】
単一のスコアリングライン２２が、各位置決め舌部２０，２１上に形成され、かかる位置決め舌部のところで、内部側方パネル１３に取り付けられ、３つの他の横方向スコアリングライン２９が、各舌部２０，２１の長さに沿って分布して設けられている。
最後に、ブランク３４は、スコアリングライン３８によりフラップ５のうちの一方の自由縁部に取り付けられた蓋パネル５６を有し、この蓋パネル５６は、上記自由縁部から見てクロージャパネル６及び折り畳みパネル４３を次々に画定するスコアリングライン４４を有し、蓋パネル５６は、その自由縁部の各々に設けられた取付け舌部３９，４６、外部側方パネル１０と中間パネル１１の接合部９のところの２つの切込み４２と協働するようになった２つの向かい合う取付け舌部３９、及び底部パネル２と反対側のフラップ４を接合するスコアリングライン２９に沿って設けられた切込み４８と協働するようになった第３の取付け舌部４６とを有している。
【００３９】
眼鏡レンズ１８用の包装用品１は、各固定フラップ５３を底部パネル２の対応の縁部７に膠着して（図９の陰影付きの領域）内部側方パネル１３を固定フラップ５３に接合するスコアリングライン５２と、外部側方パネル１０を底部パネル２に接合するスコアリングライン１４を並置することにより上述したブランク３４から簡単に形成される。したがって、外部側方パネル１０、中間パネル１１及び内部側方パネル１３は、三角形部分８を形成する。
【００４０】
図９は膠着前のブランク３４を示しているが、図７は、膠着作業を実施した後のブランク３４を示しており、ボックスセクション部３が形成され（これらは、図９では上から見える）、ボックスセクション部分３を起き上がり位置に動かす単純な曲げ作業により、いつでも使用できる状態にある図１に示す包装用品１が得られる。
【００４１】
実際には、包装用品１の製造業者は、先ず最初にブランク３４の輪郭を切り抜き、その後、スコアリングラインと同様に種々の切込み及び切欠きも又形成し、固定フラップ５３を対応の縁部７に膠着し、ボックスセクション部３をこれらのスコアリングライン５４に沿って折り畳み状態に保持して図１０に示す平らなブランクを得る。したがって、包装用品１を膠着され平らにされたブランク３４が積み重ねられたそれ自体の包装状態で輸送できるので有利である。
【００４２】
ユーザはこれら平らなブランクのうちの１つを受け取ると、先ず最初に中間パネル１１を開き、内部側方パネル１３及び外部側方パネル１０を互いに遠ざけてボックスセクション部３の三角形部分８を構成する。
【００４３】
図７に示すように、包装用品１は、レンズ１８を底部パネル２上に置き、その後ボックスセクション部３を起こし（図１及び図３参照）、フラップ４，５を折り曲げ、クロージャパネル６を図２に示す密閉された包装用品が得られるよう位置決めする包装方法に適合している。
【００４４】
眼鏡レンズ１８の最適な位置を得るため、レンズ１８の直径にほぼ等しい長さの辺を備えた正方形底部パネル２を有する包装用品１が提供され、したがって、レンズ１８を開口部１５（図１）中へ挿入し、位置決め舌部２０，２１をボックスセクション部３の内部に向かって押し戻す（図４、図５及び図６）。
【００４５】
図６の略図では、ボックスセクション部３のうちの１つの外部側方パネル１０は、開口部１５中へのレンズ１８の挿入時に、位置決め舌部２０，２１の挙動が目に見えるようにあたかも透明であるかのように示されている。レンズ１８の湾曲した輪郭により、２つの中央舌部２０は、２つの側方舌部２１よりも長い距離にわたりボックスセクション部３の内部に向かって押され、これは、位置決め舌部２０，２１が底部パネル２と同一高さの開口部１５の縁部１６の高さ位置では取り付けられていないので可能である。
【００４６】
図４及び図５は、ボックスセクション部３の長手方向軸線に沿って見てレンズ１８に対する舌部２０，２１を示している。ボックスセクション部３の中央位置決め舌部２０がレンズ１８をその直径のうちの１つに沿って位置決めし、レンズ１８の周囲及びその輪郭のプロフィールに適合していることは明らかである。また、側方位置決め舌部２１は、レンズ１８の曲率に適合した位置を占め、そして各ボックスセクション部３に対する対応関係にある向かい合う舌部２０，２１の各対の逆向きの圧力により位置決め効果を及ぼす。側方舌部２１は又、長手方向におけるボックスセクション部３の並進運動が生じた場合でもレンズ１８を保持する。というのは、これらの側方縁部は、レンズ１８の輪郭に側方に当接し、ここでレンズは、中央舌部２０と一線をなしてより深く入り込むからである。
【００４７】
したがって、レンズ１８は、その直径の互いに反対側の側部にそれぞれ設けられた互いに反対側の中央又は側方舌部２０，２１の各対の協働する圧力及びレンズ１８の輪郭に適合可能な四点ケージを形成し、レンズが側方に摺動するのを阻止する４つの側方舌部２１の圧力により位置決めされる。
【００４８】
上述した舌部２０，２１の位置決めとは別に、各ボックスセクション部３に設けられた対をなす互いに反対側の側部２０，２１によりレンズ１８に加えられる圧力の機能は、舌部２０，２１の材料の弾性とボックスセクション部３の形状により協働的に保証され、三角形部分８により、舌部の自由端部２６がボックスセクション部３の内部に向かって押されると、舌部の自由端部２６は、外部側方パネル１０の内壁に沿って起き上がり、外部側方パネルに対して補強されるよう適用可能な場合（図４及び図５参照）、舌部２０，２１に沿って分布して設けられたスコアリングライン２５は、この挙動を促進する。
【００４９】
本明細書において説明した包装用品は又、トリミング前の眼鏡レンズ以外の円形の輪郭をした物品、例えば他の或る形式の光学レンズを包装して位置決めするよう使用できることは注目されよう。
【図面の簡単な説明】
【００５０】
【図１】開けると中に入っている眼鏡レンズが目に見える本発明の包装用品の斜視図である。
【図２】包装用品を閉じた場合の図１の組合せの斜視図である。
【図３】説明をしやすくするために包装用品のクロージャパネルがその底部パネルと一線をなしていることを除き図１の位置にある包装用品の平面図である。
【図４】図３のＩＶ−ＩＶ矢視断面立面図であり、位置決め舌部と眼鏡レンズの協働状態を示す図である。
【図５】図４と類似した図であり、図３のＶ−Ｖ矢視断面図である。
【図６】定位置にある眼鏡レンズ及びボックスセクション部を示す部分斜視図であり、ボックスセクション部の側方外側パネルがその位置決め舌部の位置を示すよう部分的に切除されている図である。
【図７】図３と類似した平面図であり、側方ボックスセクション部が折り畳み位置にあり、眼鏡レンズが省かれている状態を示す図である。
【図８】図７のＶＩＩＩで囲んだ部分の詳細図であり、特に位置決め舌部を示す図である。
【図９】図１の包装用品が陰影を付けた部分を互いに接合することにより形成される元になる平らなブランクの平面図である。
【図１０】ボックスセクション部を平らにした状態の図７に類似した図である。
【図１】
0004514611.tif 000002
【図２】
0004514611.tif 000003
【図３】
0004514611.tif 000004
【図４】
0004514611.tif 000005
【図５】
0004514611.tif 000006
【図６】
0004514611.tif 000007
【図７】
0004514611.tif 000008
【図８】
0004514611.tif 000009
【図９】
0004514611.tif 000010
【図１０】
0004514611.tif 000011